(57)【特許請求の範囲】
【請求項１】
電話局側交換機と、構内交換機または電話機とをつなぐＩＳＤＮ回線中に接続される電話アダプタであって、前記電話アダプタには前記電話局側交換機からのＩＳＤＮ回線が接続されるとともに前記構内交換機または電話機からのＩＳＤＮ回線が接続され、前記構内交換機または電話機は前記電話アダプタを介して前記電話局側交換機に接続されており、
前記電話アダプタは、
前記電話局側交換機に接続されている側のＩＳＤＮ回線に異常が発生したことを検出すると、前記構内交換機または電話機に接続されている側のＩＳＤＮ回線を電気的に切断し、
前記構内交換機または電話機に接続されている側のＩＳＤＮ回線に異常が発生したことを検出すると、前記電話局側交換機に接続されている側のＩＳＤＮ回線を電気的に切断する、
ことを特徴とする電話アダプタ。
【請求項２】
請求項１に記載の電話アダプタであって、
前記電話アダプタは、
前記構内交換機または電話機に接続されている側のＩＳＤＮ回線を電気的に切断した場合、前記電話局側交換機に接続されている側のＩＳＤＮ回線が正常に復帰したことを検出すると、前記構内交換機または電話機に接続されている側のＩＳＤＮ回線を電気的に接続し、
前記電話局側交換機に接続されている側のＩＳＤＮ回線を電気的に切断した場合、前記構内交換機または電話機に接続されている側のＩＳＤＮ回線が正常に復帰したことを検出すると、前記電話局側交換機に接続されている側のＩＳＤＮ回線を電気的に接続する、
ことを特徴とする電話アダプタ。
【請求項３】
電話局側交換機と、構内交換機または電話機とをつなぐＩＳＤＮ回線中に接続される電話アダプタであって、前記電話アダプタには前記電話局側交換機からのＩＳＤＮ回線が接続されるとともに前記構内交換機または電話機からのＩＳＤＮ回線が接続され、前記構内交換機または電話機は前記電話アダプタを介して前記電話局側交換機に接続されており、
前記電話アダプタは、第１回線制御手段とデータ制御手段と第２回線制御手段とを備えており、
前記第１回線制御手段は、
前記電話局側交換機からのＩＳＤＮ回線が接続されているとともに前記データ制御手段とデータ授受が可能であり、
前記電話局側交換機に接続されている側のＩＳＤＮ回線の状態を検出可能な第１検出手段と、前記電話局側交換機に接続されている側のＩＳＤＮ回線を電気的に接続または切断が可能な第１切換手段とを備えており、
前記第２回線制御手段は、
前記構内交換機または電話機からのＩＳＤＮ回線が接続されているとともに前記データ制御手段とデータ授受が可能であり、
前記構内交換機または電話機に接続されている側のＩＳＤＮ回線の状態を検出可能な第２検出手段と、前記構内交換機または電話機に接続されている側のＩＳＤＮ回線を電気的に接続または切断が可能な第２切換手段とを備えており、
前記データ制御手段は、
前記第１検出手段を用いて前記電話局側交換機に接続されている側のＩＳＤＮ回線に異常が発生したことを検出すると、前記第２切換手段を用いて前記構内交換機または電話機に接続されている側のＩＳＤＮ回線を電気的に切断し、
前記第２検出手段を用いて前記構内交換機または電話機に接続されている側のＩＳＤＮ回線に異常が発生したことを検出すると、前記第１切換手段を用いて前記電話局側交換機に接続されている側のＩＳＤＮ回線を電気的に切断する、
ことを特徴とする電話アダプタ。
【請求項４】
請求項３に記載の電話アダプタであって、
前記データ制御手段は、
前記第２切換手段を用いて前記構内交換機または電話機に接続されている側のＩＳＤＮ回線を電気的に切断した場合、前記第１検出手段を用いて前記電話局側交換機に接続されている側のＩＳＤＮ回線が正常に復帰したことを検出すると、前記第２切換手段を用いて前記構内交換機または電話機に接続されている側のＩＳＤＮ回線を電気的に接続し、
前記第１切換手段を用いて前記電話局側交換機に接続されている側のＩＳＤＮ回線を電気的に切断した場合、前記第２検出手段を用いて前記構内交換機または電話機に接続されている側のＩＳＤＮ回線が正常に復帰したことを検出すると、前記第１切換手段を用いて前記電話局側交換機に接続されている側のＩＳＤＮ回線を電気的に接続する、
ことを特徴とする電話アダプタ。
【発明の詳細な説明】
【技術分野】
【０００１】
本発明は、ＩＳＤＮ回線に接続される電話アダプタに関する。
【背景技術】
【０００２】
従来より、企業や個人等のユーザは、アナログ回線やＩＳＤＮ回線等、種々の通信回線を用いて通信を行っている。
近年では、電話機にて音声通信を行う場合、ＶｏＩＰ（Voice  over  IP）技術を用いてＩＰ網で通信を行う、いわゆるＩＰ電話の利用が増加している。特に企業の場合、ＩＰ電話を利用することで通信コストの低減を期待できる。
しかし、ＩＳＤＮ回線を用いた通話の利用を停止して、全てＩＰ電話に切り換えることは行わず、従来のＩＳＤＮ回線の利用を維持しながら、ＩＰ電話を併用する方式を採用している。ＩＰ電話では通話相手側もＩＰ電話に加入していなければ利用できないことと、通信データの到達性が保証されていないＩＰ電話ではＦＡＸ等の利用には不向きなためである。
そこで、既存のＩＳＤＮ環境を維持するとともにＩＰ電話も利用可能とする電話アダプタをＩＳＤＮ回線に接続することで、ＩＳＤＮ経由の通話もＩＰ網経由の通話も可能としている。
例えば特許文献１に記載した従来技術では、現状のＩＳＤＮ環境を維持したまま、ＶｏＩＰ通話を容易に利用することができる安価なＶｏＩＰ用ＩＳＤＮアダプタと、このアダプタを利用して通話を行うＶｏＩＰ通話システムが提案されている。
【特許文献１】特開２００４−００７５５０号公報
【発明の開示】
【発明が解決しようとする課題】
【０００３】
特許文献１に記載した従来技術を用いた場合、ＩＳＤＮ回線に接続される機器は、図２（Ａ）に示すように接続される（ただしＩＰ網側の接続は省略している）。例えば企業Ａは、複数の電話機を保有しており、電話機４０ａ〜４０ｎは構内交換機３０（ＰＢＸ）に接続され、構内交換機３０は電話アダプタ２０に接続され、電話アダプタ２０は電話局側交換機１０に接続される。
ここで図２（Ａ）に示すように、例えば企業Ａ内で電話アダプタ２０の点検等を行うために一旦、電話アダプタ２０からＩＳＤＮ回線Ｃ１０を外した場合、電話局側交換機１０は、自身から電話アダプタ２０までのＩＳＤＮ回線Ｃ１０に異常が発生したことを認識することができる。このとき、任意の発信者から企業Ａの電話機宛てに通話要求が発生した場合、電話局側交換機１０は、電話アダプタ２０までのＩＳＤＮ回線Ｃ１０に異常が発生したことを認識できるので、呼び出し処理を行わず、接続ができない旨のメッセージを前記発信者に通知する。もしくは、企業Ａが代表電話サービスに加入しているのなら、電話局側交換機１０は、接続が可能な回線（図示せず）及びアダプタ（図示せず）を介して構内交換機３０に着信させる。なお、代表電話サービスというのは、複数の回線（電話番号）をグループにして代表番号に着信があった場合に、通話中でない回線、使用可能な回線に着信させるサービスである。
しかし、構内交換機３０は、自身から電話アダプタ２０までのＩＳＤＮ回線Ｃ３０に異常が発生していないと認識できるが、電話アダプタ２０から電話局側交換機１０までのＩＳＤＮ回線Ｃ１０に異常が発生していることは認識できない。従って、構内交換機３０は、電話機４０ａから企業Ａの外部の任意の電話機に通話要求が発生すると、電話局側交換機１０に接続できないにもかかわらず呼び出し処理を延々と続けてしまう。もしくはタイムアウト（所定時間が経過して時間切れ）になるまで、延々と処理を続けてしまう。
【０００４】
また図２（Ｂ）に示すように、例えば企業Ａ内で構内交換機３０の点検等を行うために一旦、構内交換機３０からＩＳＤＮ回線Ｃ３０を外した場合、電話局側交換機１０は、自身から電話アダプタ２０までのＩＳＤＮ回線Ｃ１０には異常が発生していないことを認識できるが、電話アダプタ２０から構内交換機３０までのＩＳＤＮ回線Ｃ３０にて異常が発生していることは認識できない。このとき、任意の発信者から企業Ａの電話機宛てに通話要求が発生した場合、電話局側交換機１０は、構内交換機３０に接続できないにもかかわらず呼び出し処理を延々と続けてしまうか、タイムアウトになる。代表電話サービスであっても、他の使用可能な回線を呼び出せない。
なお構内交換機３０は、自身から電話アダプタ２０までのＩＳＤＮ回線Ｃ３０に異常が発生していることを認識できるので、電話機４０ａから企業Ａの外部の任意の電話機に通話要求が発生すると、接続ができない旨のメッセージを前記電話機４０ａに通知する。もしくは電話機（４０ａ〜４０ｎ）にエラー表示をさせる。
また図２（Ｃ）に示すように、例えば電話局側にて電話局側交換機１０の点検等を行うために一旦、電話局側交換機１０からＩＳＤＮ回線Ｃ１０を外した場合は、図２（Ａ）の説明と同様であるので説明を省略する。
なお、個人の場合は構内交換機３０が介在せず、電話アダプタ２０から電話機に接続されるが（図１の個人宅Ｐ参照）、上記と同様の現象が発生する。
【０００５】
本発明は、このような点に鑑みて創案されたものであり、回線に異常が発生したことを認識する必要がある機器に対して、当該異常を適切に認識させることができる電話アダプタを提供することを課題とする。
【課題を解決するための手段】
【０００６】
上記課題を解決するための手段として、本発明の第１発明は、請求項１に記載されたとおりの電話アダプタである。
請求項１に記載の電話アダプタは、電話局側交換機と、構内交換機または電話機とをつなぐＩＳＤＮ回線中に接続される電話アダプタであって、前記電話アダプタには前記電話局側交換機からのＩＳＤＮ回線が接続されるとともに前記構内交換機または電話機からのＩＳＤＮ回線が接続され、前記構内交換機または電話機は前記電話アダプタを介して前記電話局側交換機に接続されている。
そして前記電話アダプタは、前記電話局側交換機に接続されている側のＩＳＤＮ回線に異常が発生したことを検出すると、前記構内交換機または電話機に接続されている側のＩＳＤＮ回線を電気的に切断する。
また前記電話アダプタは、前記構内交換機または電話機に接続されている側のＩＳＤＮ回線に異常が発生したことを検出すると、前記電話局側交換機に接続されている側のＩＳＤＮ回線を電気的に切断する。
【０００７】
また、本発明の第２発明は、請求項２に記載されたとおりの電話アダプタである。
請求項２に記載の電話アダプタは、請求項１に記載の電話アダプタであって、前記電話アダプタは、前記構内交換機または電話機に接続されている側のＩＳＤＮ回線を電気的に切断した場合、前記電話局側交換機に接続されている側のＩＳＤＮ回線が正常に復帰したことを検出すると、前記構内交換機または電話機に接続されている側のＩＳＤＮ回線を電気的に接続する。
また前記電話アダプタは、前記電話局側交換機に接続されている側のＩＳＤＮ回線を電気的に切断した場合、前記構内交換機または電話機に接続されている側のＩＳＤＮ回線が正常に復帰したことを検出すると、前記電話局側交換機に接続されている側のＩＳＤＮ回線を電気的に接続する。
【０００８】
また、本発明の第３発明は、請求項３に記載されたとおりの電話アダプタである。
請求項３に記載の電話アダプタは、電話局側交換機と、構内交換機または電話機とをつなぐＩＳＤＮ回線中に接続される電話アダプタであって、前記構内交換機または電話機は前記電話アダプタを介して前記電話局側交換機に接続されており、前記電話アダプタには前記電話局側交換機からのＩＳＤＮ回線が接続されるとともに前記構内交換機または電話機からのＩＳＤＮ回線が接続されている。
また前記電話アダプタは、第１回線制御手段とデータ制御手段と第２回線制御手段とを備えている。
前記第１回線制御手段は、前記電話局側交換機からのＩＳＤＮ回線が接続されているとともに前記データ制御手段とデータ授受が可能であり、前記電話局側交換機に接続されている側のＩＳＤＮ回線の状態を検出可能な第１検出手段と、前記電話局側交換機に接続されている側のＩＳＤＮ回線を電気的に接続または切断が可能な第１切換手段とを備えている。
前記第２回線制御手段は、前記構内交換機または電話機からのＩＳＤＮ回線が接続されているとともに前記データ制御手段とデータ授受が可能であり、前記構内交換機または電話機に接続されている側のＩＳＤＮ回線の状態を検出可能な第２検出手段と、前記構内交換機または電話機に接続されている側のＩＳＤＮ回線を電気的に接続または切断が可能な第２切換手段とを備えている。
前記データ制御手段は、前記第１検出手段を用いて前記電話局側交換機に接続されている側のＩＳＤＮ回線に異常が発生したことを検出すると、前記第２切換手段を用いて前記構内交換機または電話機に接続されている側のＩＳＤＮ回線を電気的に切断する。
また前記データ制御手段は、前記第２検出手段を用いて前記構内交換機または電話機に接続されている側のＩＳＤＮ回線に異常が発生したことを検出すると、前記第１切換手段を用いて前記電話局側交換機に接続されている側のＩＳＤＮ回線を電気的に切断する。
【０００９】
また、本発明の第４発明は、請求項４に記載されたとおりの電話アダプタである。
請求項４に記載の電話アダプタは、請求項３に記載の電話アダプタであって、前記データ制御手段は、前記第２切換手段を用いて前記構内交換機または電話機に接続されている側のＩＳＤＮ回線を電気的に切断した場合、前記第１検出手段を用いて前記電話局側交換機に接続されている側のＩＳＤＮ回線が正常に復帰したことを検出すると、前記第２切換手段を用いて前記構内交換機または電話機に接続されている側のＩＳＤＮ回線を電気的に接続する。
また前記データ制御手段は、前記第１切換手段を用いて前記電話局側交換機に接続されている側のＩＳＤＮ回線を電気的に切断した場合、前記第２検出手段を用いて前記構内交換機または電話機に接続されている側のＩＳＤＮ回線が正常に復帰したことを検出すると、前記第１切換手段を用いて前記電話局側交換機に接続されている側のＩＳＤＮ回線を電気的に接続する。
【発明の効果】
【００１０】
請求項１または請求項３に記載の電話アダプタを用いれば、電話アダプタから電話局側交換機に接続されている側のＩＳＤＮ回線に異常が発生した場合、当該異常を適切に構内交換機または電話機に認識させることができる。
また電話アダプタから構内交換機または電話機に接続されている側のＩＳＤＮ回線に異常が発生した場合、当該異常を適切に電話局側交換機に認識させることができる。
このように、回線に異常が発生したことを認識する必要がある機器に対して、当該異常を適切に認識させることができる。代表電話サービスのときに、局からの呼び出し（着信）を、異常でない回線があるならそれを使って、その異常でない回線を収容している他の電話アダプタを介して構内交換機へ回せるので便利である。
【００１１】
また、請求項２または請求項４に記載の電話アダプタを用いれば、発生していた回線の異常が正常に復帰したことを検出した場合、電気的に切断していた回線を元通りに自動的に接続するため、便利である。
【発明を実施するための最良の形態】
【００１２】
以下に本発明を実施するための最良の形態を図面を用いて説明する。図１は、本発明の電話アダプタを含む通信システムの全体接続図の例を示している。
●［通信システムの全体接続（図１）］
例えば企業Ａでは、複数の電話機４０ａ〜４０ｎが構内交換機３０（ＰＢＸ）に接続されている。また構内交換機３０はＩＳＤＮ回線にて電話アダプタ２０に接続されており、電話アダプタ２０はＩＳＤＮ回線にて電話局側交換機１０に接続されている。そして電話局側交換機１０はＩＳＤＮ８０に接続されている。
また例えば個人宅Ｐでは、電話機４０ｚがＩＳＤＮ回線にて電話アダプタ２０に接続されており、電話アダプタ２０はＩＳＤＮ回線にて電話局側交換機１０に接続されている。そして電話局側交換機１０はＩＳＤＮ８０に接続されている。
このように、本発明の電話アダプタ２０は、既存の電話局側交換機１０と構内交換機３０または電話機４０ｚとの間のＩＳＤＮ回線中に配置され、構内交換機３０または電話機４０ｚは電話アダプタ２０を介して電話局側交換機１０に接続される。
【００１３】
また図１に示す例では、電話アダプタ２０は、モデム６０を介してＡＤＳＬ等の中継局５０に接続されており、電話機４０ａ〜４０ｎ、４０ｚに対して、ＩＰ網を利用したＩＰ電話の通話も可能としているが、本発明の電話アダプタ２０にＩＰ電話の機能は必須ではなく、ＩＳＤＮ回線中に接続される電話アダプタであればよい。また、モデム６０は電話アダプタ２０の内部に設けてもよい。
以下、図１における構内交換機３０を備えた企業Ａの通信システムを例として説明し、個人宅Ｐの通信システムは同様であるので説明を省略する。
【００１４】
●［電話アダプタ２０の内部構成と動作（図３）］
図３に示すように、電話アダプタ２０は、第１回線制御手段２１（例えば第１のＩＮＳコントローラ）、第２回線制御手段２２（例えば第２のＩＮＳコントローラ）、データ制御手段２３（例えばＣＰＵ）、ＤＳＵ２４（加入者回線終端装置）、モデム６０と接続するためのモデムインターフェース２８を備えている。なお、既に説明したように、本発明の電話アダプタ２０にＩＰ電話の機能は必須ではないため、モデムインターフェース２８を含むＩＰ電話の機能に関する説明は省略する。
また、ＤＳＵ２４は、ＩＳＤＮ回線を使用するために必要な装置であるが、既存のＤＳＵと同じであるため、説明を省略する。
【００１５】
第１回線制御手段２１は、電話局側交換機１０と接続されるＩＳＤＮ回線Ｃ１０を電気的に接続または切断が可能な第１切換手段２１ａと、接続されているＩＳＤＮ回線の状態を検出可能な（この例では第１切換手段が接続状態の場合に検出可能）第１検出手段２１ｂ（例えば物理層の状態を検出）と、接続されたＩＳＤＮ回線Ｃ１０を用いてデータの送受信を行う第１通信手段２１ｃとを備えている。なお、第２回線制御手段２２は、第２切換手段２２ａがＩＳＤＮ回線Ｃ３０を介して構内交換機３０に接続されている他は同様であるので、第２回線制御手段２２の説明は省略する。
【００１６】
データ制御手段２３は、電話局側交換機１０から送信されてくるデータ（通話データ等）を第１通信手段２１ｃを介して受信し、第２通信手段２２ｃを介して構内交換機３０に送信する。また、構内交換機３０から送信されてくるデータ（通話データ等）を第２通信手段２２ｃを介して受信し、第１通信手段２１ｃを介して電話局側交換機１０に送信する。このようにデータ制御手段２３は、第１通信手段２１ｃ（第１回線制御手段２１）及び第２通信手段２２ｃ（第２回線制御手段２２）とデータ授受が可能である。
通常の使用時において、データ制御手段２３は、第１切換手段２１ａ及び第２切換手段２２ａを電気的に接続状態としている。
データ制御手段２３は、第１検出手段２１ｂを用いて、電話局側交換機１０に接続されている側のＩＳＤＮ回線Ｃ１０に異常（開放、地絡等）が発生したことを検出すると、第２切換手段２２ａを用いて、構内交換機３０（個人宅Ｐの場合は電話機）に接続されている側のＩＳＤＮ回線Ｃ３０を電気的に切断する。
つまり、図２（Ａ）または（Ｃ）の例において、ＩＳＤＮ回線Ｃ１０に異常が発生した場合は、ＩＳＤＮ回線Ｃ３０を強制的に開放状態（異常状態）にすることで、構内交換機３０（個人宅Ｐの場合は電話機）がＩＳＤＮ回線に異常が発生していることを認識可能とする。
【００１７】
またデータ制御手段２３は、第２検出手段２２ｂを用いて、構内交換機３０（個人宅Ｐの場合は電話機）に接続されている側のＩＳＤＮ回線Ｃ３０に異常（開放、地絡等）が発生したことを検出すると、第１切換手段２１ａを用いて、電話局側交換機１０に接続されている側のＩＳＤＮ回線Ｃ１０を電気的に切断する。
つまり、図２（Ｂ）の例において、ＩＳＤＮ回線Ｃ３０に異常が発生した場合は、ＩＳＤＮ回線Ｃ１０を強制的に開放状態（異常状態）にすることで、電話局側交換機１０がＩＳＤＮ回線に異常が発生していることを認識可能とする。
【００１８】
また復帰時においては、データ制御手段２３は、第２切換手段２２ａを用いて構内交換機３０（個人宅Ｐの場合は電話機）の側のＩＳＤＮ回線Ｃ３０を電気的に切断している場合、電話局側交換機１０の側のＩＳＤＮ回線Ｃ１０が正常に復帰したことを第１検出手段２１ｂを用いて検出すると、電気的に切断状態にしている第２切換手段２２ａを電気的に接続状態とする。
また、データ制御手段２３は、第１切換手段２１ａを用いて電話局側交換機１０の側のＩＳＤＮ回線Ｃ１０を電気的に切断している場合、構内交換機３０（個人宅Ｐの場合は電話機）の側のＩＳＤＮ回線Ｃ３０が正常に復帰したことを第２検出手段２２ｂを用いて検出すると、電気的に切断状態にしている第１切換手段２１ａを電気的に接続状態とする。
このように、第１切換手段２１ａまたは第２切換手段２２ａを用いて強制的に開放状態（異常状態）とした後であっても、自動的にＩＳＤＮ回線を元通りに接続状態に戻すことができる。なお、データ制御手段２３は、第１切換手段２１ａと第２切換手段２２ａの双方をともに切断状態とすることは行わないことが好ましい。
【００１９】
本発明の電話アダプタ２０は、本実施の形態で説明した接続、構成、処理（動作）等に限定されず、本発明の要旨を変更しない範囲で種々の変更、追加、削除が可能である。
また、本発明の電話アダプタ２０は、ＩＰ電話も利用可能な機能を備えていても備えていなくてもよい。
【図面の簡単な説明】
【００２０】
【図１】本発明の電話アダプタ２０を含む通信システムの全体接続図の例を説明する図である。
【図２】電話局側交換機１０と電話アダプタ２０との間のＩＳＤＮ回線Ｃ１０に異常が発生した場合、電話アダプタ２０と構内交換機３０（個人宅Ｐの場合は電話機）との間のＩＳＤＮ回線Ｃ３０に異常が発生した場合の問題点を説明する図である。
【図３】本発明の電話アダプタ２０の内部構成と動作について説明する図である。
【符号の説明】
【００２１】
１０      電話局側交換機
２０      電話アダプタ
２１      第１回線制御手段
２２      第２回線制御手段
２３      データ制御手段
３０      構内交換機（ＰＢＸ）
４０ａ〜４０ｎ、４０ｚ    電話機
５０      中継局
６０      モデム
Ｃ１０、Ｃ３０    ＩＳＤＮ回線
Ａ        企業
Ｐ        個人宅
【図１】
0004494328.tif 000002
【図２】
0004494328.tif 000003
【図３】
0004494328.tif 000004